(57)【要約】【課題】  マルチセッションの記録媒体を再生可能であって、外部に接続されるか又は内蔵された記録装置に対し、本来は複製許可されているデータの複製不可状態を生じさせないようにするための情報処理装置及び情報処理方法を提供する。【解決手段】  再生装置は、１ｓｔセッションがＣＤ−ＤＡフォーマットで２ｎｄセッションがＲＯＭフォーマットのマルチセッションのディスクＤ３のＣＤ−ＤＡデータを他の記録装置にディジタルコピーする目的で再生する際、先ずＴＯＣ情報を読み出し、１ｓｔセッションのＣＤ−ＤＡフォーマットのトラックにアクセスして、ＣＤ−ＤＡデータを示すコントロールビットを読み出してからＴＯＣリード処理を終了する。これにより、他の記録装置には、ＣＤ−ＤＡデータを示すコントロールビットが出力され、他の記録装置は、再生対象のディスクがＣＤ−ＤＡデータを有するディスクであることを認識し、ＣＤ−ＤＡデータをディジタルコピーすることができる。【選択図】  図６
2005135494.tif 000002
【特許請求の範囲】
【請求項１】
ディジタル接続した記録装置に対してＣＤ−ＤＡデータをディジタル出力してディジタルコピーさせることが可能な情報処理装置であって、
データが記録されたデータエリア及び該データエリアを管理する管理情報が記録されたリードインエリアが１以上設けられた再生対象の記録媒体からそれぞれ該データ及び管理情報を読み出すデータ読出手段と、
上記データ読出手段により読み出された上記管理情報のうち上記データエリアに記録されたデータがＣＤ−ＤＡデータか否かを示すデータ識別情報を上記記録装置へ出力する識別情報出力手段と、
上記再生対象の記録媒体の上記データエリアにＣＤ−ＤＡデータが記録されている場合であって該ＣＤ−ＤＡデータを上記記録装置にディジタル出力する際に、上記管理情報が読み出された後、上記データ読出手段を該ＣＤ−ＤＡデータが記録されたデータエリアにアクセスさせる制御手段とを有する
ことを特徴とする情報処理装置。
【請求項２】
上記制御手段は、上記リードインエリアから最後に読み出した上記データ識別情報がＲＯＭデータを示す場合、上記データ読出手段を上記ＣＤ−ＤＡデータが記録されたデータエリアにアクセスさせる
ことを特徴とする請求項１記載の情報処理装置。
【請求項３】
上記再生対象の記録媒体は、リードインエリア及びリードアウトエリアと、その間にデータが記録されるデータエリアとから構成されるセッションを複数有する
ことを特徴とする請求項１記載の情報処理装置。
【請求項４】
上記再生対象の記録媒体は、リードインエリア及びリードアウトエリアと、リードインエリアとリードアウトエリとの間に設けられたデータが記録されるデータエリアとから構成され、該データエリアは、ＣＤ−ＤＡデータが記録されるＣＤ−ＤＡトラックと、ＲＯＭデータが記録されるＲＯＭトラックとを有する
ことを特徴とする請求項１記載の情報処理装置。
【請求項５】
上記記録装置を有し、
上記記録装置は、上記ディジタル出力されたＣＤ−ＤＡデータを光磁気ディスクにディジタル記録する
ことを特徴とする請求項１記載の情報処理装置。
【請求項６】
上記記録装置は、上記ディジタル出力されたＣＤ−ＤＡデータを光磁気ディスクにディジタル記録する外部装置である
ことを特徴とする請求項１記載の情報処理装置。
【請求項７】
上記記録媒体は、２以上のセッションを有し、該セッションのデータエリアが異なるフォーマットで記録されたものである
ことを特徴とする請求項１記載の情報処理装置。
【請求項８】
ディジタル接続した記録装置に対してＣＤ−ＤＡデータをディジタル出力してディジタルコピーさせることが可能な情報処理装置の情報処理方法において、
データが記録されたデータエリア及び該データエリアを管理する管理情報が記録されたリードインエリアが１以上設けられた再生対象の記録媒体からデータ読出手段により該管理情報を読み出させるデータ読出工程と、
上記データ読出工程により読み出された上記管理情報のうち上記データエリアに記録されたデータがＣＤ−ＤＡデータか否かを示すデータ識別情報を上記記録装置へ出力する識別情報出力工程と、
上記再生対象の記録媒体の上記データエリアにＣＤ−ＤＡデータが記録されている場合であって該ＣＤ−ＤＡデータを上記記録装置にディジタル出力する際に、上記管理情報が読み出された後、上記データ読出手段を該ＣＤ−ＤＡデータが記録されたデータエリアにアクセスさせる制御工程とを有する
ことを特徴とする情報処理方法。
【請求項９】
上記制御工程では、上記リードインエリアから最後に読み出させた上記データ識別情報がＲＯＭデータを示す場合、上記データ読出手段を上記ＣＤ−ＤＡデータが記録されたデータエリアにアクセスさせる
ことを特徴とする請求項８記載の情報処理方法。
【請求項１０】
ディジタル出力されたＣＤ−ＤＡデータを上記記録装置により光磁気ディスクにディジタル記録する記録工程を有する
ことを特徴とする請求項８記載の情報処理方法。
【請求項１１】
上記ＣＤ−ＤＡデータをディジタル出力し、外部にディジタル接続された上記記録装置にて該ＣＤ−ＤＡデータを光磁気ディスクにディジタル記録させるデータ出力工程を有する
ことを特徴とする請求項８記載の情報処理方法。
【発明の詳細な説明】
【技術分野】
【０００１】
本発明は、異なるフォーマットのデータが記録されたマルチセッションディスクを再生可能な情報処理装置及び情報処理方法に関し、特にＭＰ３（ＭＰＥＧ（Moving Picture Experts Group）１オーディオLayer３））などの圧縮音源も再生可能な情報処理装置及び記情報処理方法に関する。
【背景技術】
【０００２】
従来、光ディスクであるコンパクトディスクには、ＣＤ−ＤＡ（Compact Disc Digital Audio）型コンパクトディスク、ＣＤ−ＲＯＭ（Compact Disc Read Only Memory）型コンパクトディスクがある。更に、コンパクトディスクには、ＣＤ−ＤＡ（Compact Disc Digital Audio）型コンパクトディスクのフォーマットを基礎にしたＣＤ−Ｒ（Compact Disc Recordable）型コンパクトディスク、ＣＤ−ＲＷ（Compact Disc Rewritable）型コンパクトディスク、ＣＤ−Ｅｘｔｒａ型コンパクトディスクなどのマルチセッション型のコンパクトディスクがある。例えば、マルチセッション型であるＣＤ−Ｅｘｔｒａ型コンパクトディスクでは、内周側のセッションに一又は複数のオーディオデータを記録し、外周側のセッションに、内周側セッションに記録されたオーディオデータに関連した画像データ、映像データ、コンピュータプログラムなどの関連データが記録される。なお、このマルチセッション型のコンパクトディスクに関しては、下記特許文献１がある。
【０００３】
以上のようなコンパクトディスクの再生装置としては、専らＣＤ−ＤＡ（Compact Disc Digital Audio）型コンパクトディスクなどに記録されたオーディオデータの再生を目的としたオーディオ専用再生装置と、上述のコンパクトディスク全ての再生を可能とする複合再生装置とがある。
【０００４】
ここで、マルチセッション型コンパクトディスクを例に取り説明すると、このマルチセッション型コンパクトディスク１は、図８に示すように、センタ孔２の周囲にクランピングエリア２ａが設けられ、このクランピングエリア２ａの外周側に、オーディオデータなどが記録される第１のセッション３が設けられ、この第１のセッション３の外周側に、第１のセッション３に関連した関連データが記録される第２のセッション４が設けられている。各セッション３，４は、内周側に、ＴＯＣ（Table Of Contents）データが記録されるリードインエリア３ａ，４ａが設けられ、リードインエリア３ａ，４ａの外周側に、オーディオデータ、関連データなどの一又は複数のコンテンツデータが記録されるプログラムエリア３ｂ，４ｂが設けられ、プログラムエリア３ｂ，４ｂの外周側に、セッション３，４の終わりを示すリードアウトエリア３ｃ，４ｃが設けられている。なお、ＣＤ−ＤＡ型コンパクトディスクは、全体が一のセッションで構成されている。
【０００５】
コンパクトディスク１では、各セッション３，４に、８−１４変調（ＥＦＭ変調：Eight to Fourteen Modulation）されたデータが図９に示す記録フォーマットで記録されている。すなわち、図１０に示すように、各セッション３，４に記録されるデータを構成するフレームは、例えば３２個のシンボル（１シンボルは１４ビットで構成される。）を一まとめで取り扱うことができるように、フレームの先頭に２４ビットの同期信号（１１Ｔ，１１Ｔ’（’は反転を示す。），２Ｔのパターン又はこの逆パターン）が設けられ、次いで、１シンボル（１４ビット）のサブコードデータが設けられ、次いで、３２シンボルからなる主信号データと訂正用パリティが設けられ、全体が５８８チャンネルビットで構成されている。また、各シンボルの間には、フレーム同期信号とサブコードデータとの間を除き３ビットの接続ビットが挿入されている。
【０００６】
サブコードデータは、１つのシンボルが各フレームに１つ記録されている。このサブコードデータには、アドレス情報などが記録されている。サブコードデータを構成するＥＦＭ変調前の８ビットのデータは、Ｐ、Ｑ、Ｒ、Ｓ、Ｔ、Ｕ、Ｖ、Ｗのチャンネルに割り振られている。サブコードデータは、図１１に示すように、９８フレームで１つのブロックを構成し、このブロックの先頭には、当該ブロックの先頭を識別するための同期信号Ｓ０，Ｓ１が格納されている。この同期信号Ｓ０，Ｓ１には、ＥＦＭ変換テーブルに用いられないパターンが用いられている。すなわち、図１１に示すように、サブコードデータは、２バイトの同期信号を除いた９６バイトで１ブロックを構成する。サブコードデータのＰ〜Ｗの各チャンネルのブロックは、Ｐ１〜Ｗ１からＰ９６〜Ｗ９６、すなわち９６ビット（同期信号を含めて９８ビット）で構成される。
【０００７】
サブコードデータのＰチャンネルは、主として、スタートフラグとして用いられ、Ｑチャンネルは、主として、アドレス情報などが記録され、リードインエリア３ａ，４ａでは、ＴＯＣデータとなる。また、Ｒ〜Ｗチャンネルは、ユーザーズビットとして、６つをひとまとまりとして、グラフィック、エラーチェックなどに使用される。なお、リードインエリア３ａ，４ａに記録されるＴＯＣデータについては後述する。
【０００８】
更に、図１１に示すように、サブコードデータ以降に設けられる主信号データは、１２シンボルで構成されており、主信号データに次いで設けられる訂正用パリティは、４シンボルで構成されている。訂正用パリティには、（Cross Interleave Reed-Solomon Code;ＣＩＲＣ）のリードソロモン符号記号が格納されている。１フレームには、サブコードデータに次いで１２シンボルの主信号データが設けられ、次いで、４シンボルの訂正用パリティが設けられ、次いで、１２シンボルの主信号データが設けられ、次いで、４シンボルの訂正用パリティが設けられている。
【０００９】
次いで、図１２を参照して、リードインエリア３ａ，４ａのＱチャンネル、すなわちＴＯＣデータについて説明する。このＱチャンネルは、先頭から順に、４ビットのコントロールブロックＣＮＴ、４ビットのアドレスブロックＡＤＲ、８ビットのトラック番号ブロックＴＮＯ、８ビットのポイントブロックＰＯＩＮＴ、８ビットの分成分ブロックＭｉｎ、８ビットの秒成分ブロックＳｅｃ、８ビットのフレーム成分ブロックＦｒａｍｅ、「０」が記録された８ビットのゼロブロックＺＥＲＯ、８ビットの分成分ブロックＰｍｉｎ、８ビットの秒成分ブロックＰｓｅｃ、フレーム成分ブロックＰｆｒａｍｅが設けられている。
【００１０】
コントロールブロックＣＮＴには、このＰＯＩＮＴが１〜９９の場合、そのトラックがデータ用（ＲＯＭ型）であるかオーディオ用であるかを示す識別データが記録され、具体的に、データ用であるとき「１」が設定され、オーディオ用であるとき「０」が設定されている。
【００１１】
アドレスブロックＡＤＲは、レッドブック（Red Book）の規格にそって作成したＣＤ−ＤＡ型のディスクか、オレンジブック（Orange Book）の規格に沿って作成したマルチセッション型のディスクかを示す。具体的に、ＣＤ−ＤＡ型のレッドブックの規格に沿って作成したディスクであるとき「１」が設定され、マルチセッション型のオレンジブックの規格に沿って作成したディスクであるとき「５」が設定されている。
【００１２】
トラック番号ブロックＴＮＯには、リードインエリア３ａ，４ａを示す「０」が設定されている。
【００１３】
ポイントブロックＰＯＩＮＴには、アドレスブロックＡＤＲがＣＤ−ＤＡ型を示す「１」が設定されているとき、１６進数の「Ａ０」、「Ａ１」及び「Ａ２」並びに１０進数の「０１」〜「９９」が設定されている。「Ａ０」を設定したときに、秒成分ブロックＰｓｅｃに「＄００」又は「＄２０」を設定する場合は、分成分ブロックＰｍｉｎに最初のトラックナンバが設定される。秒成分ブロックＰｓｅｃに「＄１０」を設定する場合は、分成分ブロックＰｍｉｎに最後のトラックナンバ＋１が設定される。「Ａ１」が設定されたときには、分成分ブロックＰｍｉｎに最後のトラックナンバ又は最後のトラックナンバ＋１が設定され、秒成分ブロックＰｓｅｃ及びフレーム成分ブロックＰｆｒａｍｅは「０」が設定される。「Ａ２」が設定されたときには、分成分ブロックＰｍｉｎ、秒成分ブロックＰｓｅｃ及びフレーム成分ブロックＰｆｒａｍｅに、リードアウトエリア３ｃ，４ｃの開始時間が設定される。「０１」〜「９９」が設定されたときには、分成分ブロックＰｍｉｎ、秒成分ブロックＰｓｅｃ及びフレーム成分ブロックＰｆｒａｍｅに、各トラックの開始時間が設定される。
【００１４】
なお、ポイントブロックＰＯＩＮＴにＣ０が設定されたディスクでは、アドレスブロックＡＤＲが「１」に設定されているとき、分成分ブロックＭｉｎ、秒成分ブロックＳｅｃ及びフレーム成分ブロックＦｒａｍｅには、絶対時間が記録されている。すなわち、ＰＯＩＮＴにＣ０が設定されていないときには、分成分ブロックＭｉｎ、秒成分ブロックＳｅｃ及びフレーム成分ブロックＦｒａｍｅに絶対時間が記録されない。なお、以下、秒成分ブロックＳｅｃ及びフレーム成分ブロックＦｒａｍｅを単に「ＭＳＦ（Min,Sec,Frame）」ともいう。
【００１５】
また、ポイントブロックＰＯＩＮＴには、アドレスブロックＡＤＲが「５」に設定されているとき、「Ｂ０」、「Ｃ０」などが設定されている。「Ｂ０」が設定されているとき、ＭＳＦには、次のプログラムエリアの開始時間が記録されている。例えば、２セッションで構成されているとき、第１セッション３のポイントブロックＰＯＩＮＴに「Ｂ０」が設定されていると、ＭＳＦには、第２セッション４のプログラムエリア４ｂの開始時間が記録される。また、３セッションで構成されているときには、第１セッションのポイントブロックＰＯＩＮＴに「Ｂ０」が設定されていると、ＭＳＦは、第２セッションのプログラムエリア４ｂの開始時間を示し、第２セッションのポイントブロックＰＯＩＮＴに「Ｂ０」が設定されていると、ＭＳＦは、第３セッションのプログラムエリアの開始時間を示す。
【００１６】
また、「Ｂ０」が設定されているとき、分成分ブロックＰｍｉｎ、秒成分ブロックＰｓｅｃ及びフレーム成分ブロックＰｆｒａｍｅには、最も外側のリードアウトエリアの最大開始時間が記録されている。
【００１７】
「Ｃ０」は、最初のセッションのリードインエリアのポイントブロックＰＯＩＮＴに設定されることがある。「Ｃ０」が設定されているとき、分成分ブロックＰｍｉｎ、秒成分ブロックＰｓｅｃ及びフレーム成分ブロックＰｆｒａｍｅには、最初のリードインエリアの開始時間が記録されている。
【００１８】
ここでマルチセッション型コンパクトディスクは、専らＣＤ−ＤＡ型コンパクトディスクなどに記録されたオーディオデータの再生を目的としたオーディオ専用再生装置に装着されたとき、第１のセッション３のみにアクセスし、第１のセッション３のリードインエリア３ａに記録されたＴＯＣデータを読み出した後、プログラムエリア３ｂに記録されたオーディオデータの読み出しを行う。オーディオ専用再生装置では、オーディオデータの再生を目的としているため、オーディオデータ以外が記録された第２のセッション４を再生することはできない。具体的に、オーディオ専用再生装置は、第１のセッションのリードインエリア３ａのＴＯＣデータを構成するポイントブロックＰＯＩＮＴの「Ｂ０」や「Ｂ０」のときのＭＳＦを無視し、第２のセッション４にアクセスすることなく第１のセッション３のプログラムエリア３ｂに記録されたオーディオデータの再生を開始する。したがって、ＣＤ−Ｅｘｔｒａ型コンパクトディスクを再生するときにも、オーディオ専用再生装置は、オーディオデータが記録された第１のセッションのみにアクセスし読み出したオーディオデータを再生する。
【００１９】
ところで、マルチセッション型のコンパクトディスクには、第１のセッション３にオーディオデータを記録している他、第２のセッション４にも、ＭＰ３（MPEG（Moving Picture Experts Group）-1 Audio Layer3）などの音楽ファイルを格納したものがあり、オーディオ専用再生装置の中にも、ＣＤ−ＤＡ型コンパクトディスクのみならず、マルチセッション型コンパクトディスクにも対応したものがある。第２のセッション４に音楽ファイルが記録されているときには、オーディオデータの再生という点でＣＤ−ＤＡ型コンパクトディスクの規格のみに対応したオーディオ専用再生装置と目的が共通しているからである。このため、マルチセッション型に対応したオーディオ専用再生装置は、次に説明する複合再生装置と同様な動作をする。
【００２０】
マルチセッション型のコンパクトディスクが複合再生装置に装着されると、第１のセッション３や第２のセッション４のリードインエリア３ａ，４ａに記録されたＴＯＣデータの読み出しを行う。具体的に、複合再生装置は、第１のセッションのリードインエリア３ａのＴＯＣデータを構成するポイントブロックＰＯＩＮＴの「Ｂ０」や「Ｂ０」のときのＭＳＦを参照して、第２のセッション４のリードインエリア４ａのＴＯＣデータ、更に、第２のセッション４の外周に更にセッションがあるときにはそのセッションのＴＯＣデータの読み出しを開始し、ユーザの指定に応じたセッションのプログラムエリアに記録されたデータの再生を開始する。
【００２１】
このようなマルチセッション対応型の再生装置が下記特許文献２に記載されている。図１３は、下記特許文献２記載の再生装置を示すブロック図である。この再生装置は、第１のパート（１ｓｔセッション）に既存のＣＤと同一のフォーマットのオーディオデータ（リニアＰＣＭ）が記録され、第２のパート（２ｎｄセッション）に圧縮されたオーディオデータが記録されたディスクの再生を可能とする再生装置である。
【００２２】
図１３に示すように、再生装置２００は、ディスク２０１を回転駆動するスピンドルモータ２８１と、ディスク２０１に記録された信号を再生する光ピックアップ２８２とを有し、光ピックアップ２８２は、レーザ光をディスク２０１に照射する半導体レーザ、対物レンズなどの光学系、ディスク２０１からの戻り光を受光するディテクタ、フォーカスおよびトラッキング機構などからなる。更に、光ピックアップ２８２は、スレッド機構２８４によって、ディスク２０１の径方向に送られる。
【００２３】
光ピックアップ２８２の例えば４分割ディテクタからの出力信号がＲＦアンプ２８３に供給される。ＲＦアンプ２８３は、４分割ディテクタの各ディテクタの出力信号を演算することによって、再生（ＲＦ）信号、フォーカスエラー信号、トラッキングエラー信号を生成する。再生信号がセレクタ２８５に供給され、リードインエリアから読み取ったリードインデータがリードインデータ抽出部２８６に供給され、フォーカスエラー信号、トラッキングエラー信号がサーボ回路２８７に供給される。サーボ回路２８７は、ＲＦ信号の再生クロックに基づいてスピンドルモータ２８１の回転動作を制御したり、光ピックアップ２８２のフォーカスサーボ、トラッキングサーボを制御したりする。
【００２４】
リードインデータ抽出部２８６は、リードインエリアからのリードインデータを復号し、復号データをＣＰＵ２８８に供給する。ＣＰＵ２８８は、再生装置全体の動作を制御するシステムコントローラとしての機能を有する。ＣＰＵ２８８と関連して操作部２８９および表示部２９０が設けられている。操作部２８９には、通常のＣＤ再生装置と同様の操作キーと共に、第１パート／第２パートの再生を指定するキーなどが設けられている。ＣＰＵ２８８によってサーボ回路２８７が制御されることによって、再生装置の動作、ディスク１に対するアクセス動作が制御される。また、ＣＰＵ２８８は、サブコードの情報に基づいて表示部２９０に表示する情報を生成する。
【００２５】
セレクタ２８５は、ＣＰＵ２８８によって制御され、第１セッションからの再生データを出力端子ａに出力し、第２セッションからの再生データを出力端子ｂに出力する。無記録部分では、端子ｃが選択される。出力端子ａには、第１パート復調部２９１が接続され、出力端子ｂには、第２パート復調部２９２が接続される。
【００２６】
第１パート復調部２９１は、ＣＤ−ＤＡの再生信号処理と同様の信号処理を行う。すなわち、再生信号のＥＦＭの復調を行い、サブコードを分離して出力する。サブコードは、復号器により復号され、復号されたサブコード（アドレス情報を含む）がサーボ回路２８７およびＣＰＵ２８８に供給される。ＥＦＭ復調されたデータがエラー訂正部２９７に供給される。エラー訂正部２９７は、ＣＩＲＣによるエラー訂正を行う。エラー訂正部２９７の出力がＤ／Ａ（ディジタル／アナログ）変換部２９８に供給され、Ｄ／Ａ変換部２９８からアナログ出力が出力端子２９９に取り出される。図示しないが、エラー訂正部２９７で訂正できないエラーが補間される。
【００２７】
第２パート復調部２９２は、第１パート復調部２９１と同様の信号処理を行う。第２パート復調部２９２が出力するサブコード（アドレス情報を含む）及びヘッダ情報がサーボ回路２８７およびＣＰＵ２８８に供給される。ＥＦＭ復調されたデータがエラー訂正部２１１に供給される。エラー訂正部２１１には、ＣＤ−ＲＯＭデコーダ２１２が接続されている。ＣＤ−ＲＯＭデコーダ２１２は、ＣＤ−ＲＯＭフォーマットの分解処理を行い、ユーザデータとして記録されているデータを抽出する。抽出されたデータが圧縮符号化の伸張部２１３に供給され、伸張される。伸張部２１３の出力がＤ／Ａ変換部２１４に供給され、Ｄ／Ａ変換部２１４からアナログ出力が出力端子２１５に取り出される。
【００２８】
また、リードインデータ抽出部２８６によって、リードインエリアに記録されている付随情報がディスク２０１の装着時にＣＰＵ２８８に読み込まれている。操作部２８９によるユーザの指定入力と、読み込まれた情報を参照してＣＰＵ２８８がセレクタ２８５を制御する信号を発生する。それによって、第１パートおよび第２パートの一方を選択的に再生できる。
【００２９】
上述した再生装置においては、第１パートの再生を行う時には、セレクタ２８５が出力端子ａを選択するように、ＣＰＵ２８８がセレクタ２８５を制御する。第２パートを再生を行う時には、セレクタ２８５が出力端子ｂを選択するように、ＣＰＵ２８８がセレクタ２８５を制御する。
【００３０】
【特許文献１】特開平８−０３６８２９号公報
【特許文献２】特開２００２−７４８４８号公報
【発明の開示】
【発明が解決しようとする課題】
【００３１】
しかしながら、このようなマルチセッション対応型再生装置（複合再生装置）と、例えばミニディスクＭＤ（登録商標）記録装置などの外部機器とを接続し、マルチセッションディスクのディジタルオーディオデータを上記外部機器に送り、その外部の機器にて他のディスクにディジタル記録する場合、再生装置は、上述したように、全セッションのＴＯＣをリードし、そのコントロールビットを外部機器に出力する。すると、外部機器では、このコントロールビットによりＲＯＭデータであるか、オーディオデータであるかを判断し、ＲＯＭデータである場合は、複製不可警告の表示を出すようになされている。
【００３２】
例えば上記特許文献２に記載の第１のセッション（１ｓｔセッション）がＣＤ−ＤＡのＰＣＭデータで、第２のセッション（２ｎｄセッション）がＲＯＭデータであるような場合、外部の機器としての、データが書換え可能なＭＤなどの他の記録媒体の記録装置において、記録スタンバイの状態とすると、ＲＯＭであることを示すコントロールビット（以下、ＲＯＭ情報という。）がこの外部機器入力されることにより、当該記録不可（録音不可）を警告する。
【００３３】
すなわち、１ｓｔセッションにＣＤ−ＤＡデータが記録されたものであれば、本来は、記録装置において記録が可能であるのにも関わらず、外部の記録装置は、最後に入力されたＲＯＭ情報を示すコントロールビットを記憶するため、外部の記録装置は、ユーザに対して録音不可を警告してしまう。また、ＴＯＣリード前から録音スタンバイしている場合も同様の問題が生じる。
【００３４】
更に、ＣＤ部よりディジタル出力されるコントロールビット情報はＴＯＣリードしたディスクから、最後に取得したコントロールビット情報を出力しつづけるため、例えＣＤのＴＯＣリード処理中には録音先の機器の電源を落としておき、ＴＯＣリード処理終了後に電源を入れて録音待機状態にしたとしても、録音不可警告が発せられてしまうという問題点がある。
【００３５】
本発明は、このような従来の実情に鑑みて提案されたものであり、マルチセッションの記録媒体を再生可能であって、外部に接続されるか又は内蔵された記録装置に対し、本来はディジタルコピーが許可されているデータの複製不可状態を生じさせないようにするための情報処理装置及び情報処理方法を提供することを目的とする。
【課題を解決するための手段】
【００３６】
上述した目的を達成するために、本発明に係る情報処理装置は、ディジタル接続した記録装置に対してＣＤ−ＤＡデータをディジタル出力してディジタルコピーさせることが可能な情報処理装置であって、データが記録されたデータエリア及び該データエリアを管理する管理情報が記録されたリードインエリアが１以上設けられた再生対象の記録媒体からそれぞれ該データ及び管理情報を読み出すデータ読出手段と、上記データ読出手段により読み出された上記管理情報のうち上記データエリアに記録されたデータがＣＤ−ＤＡデータか否かを示すデータ識別情報を上記記録装置へ出力する識別情報出力手段と、上記再生対象の記録媒体の上記データエリアにＣＤ−ＤＡデータが記録されている場合であって該ＣＤ−ＤＡデータを上記記録装置にディジタル出力する際に、上記管理情報が読み出された後、上記データ読出手段を該ＣＤ−ＤＡデータが記録されたデータエリアにアクセスさせる制御手段とを有する。
【００３７】
本発明においては、他の記録媒体の記録装置に対してディジタルデータを供給してディジタルコピーをさせる際、データエリアのデータがＣＤ−ＤＡデータか否かを示すデータ識別情報を出力するが、従来のマルチセッション対応型の再生装置などは２ｎｄセッション以降の管理情報も読み出し、外部の装置にデータ識別情報を出力してしまっていたのに対し、本発明では、ＣＤ−ＤＡデータがデータエリアに記録された記録媒体である場合には、リードインエリアに記録された管理情報を読み出した後、データ読出手段をＣＤ−ＤＡデータが記録されたデータエリアにアクセスさせるため、例えば管理情報が間違っていたり、ＣＤ−ＤＡデータとＲＯＭデータとを有するマルチセッション構成の記録媒体であっても、ディジタル接続された記録装置に最後に出力するデータ識別情報は必ずＣＤ−ＤＡデータを示すものとすることができる。
【００３８】
また、上記制御手段は、上記リードインエリアから最後に読み出した上記データ識別情報がＲＯＭデータを示す場合、上記データ読出手段を上記ＣＤ−ＤＡデータが記録されたデータエリアにアクセスさせることができ、例えばマルチセッションのディスクであって、２ｎｄセッション以降にＲＯＭデータが記録されている場合であっても、管理情報読み出し処理として最終的にＣＤ−ＤＡデータであることを示すデータ識別情報を記録装置に出力することができる。
【００３９】
更にまた、上記再生対象の記録媒体は、リードインエリア及びリードアウトエリアと、リードインエリアとリードアウトエリアとの間に設けられたデータが記録されるデータエリアとから構成されるセッションを複数有するマルチセッションのディスク、又はリードインエリア及びリードアウトエリアと、その間にデータが記録されるデータエリアとから構成され、該データエリアは、ＣＤ−ＤＡデータが記録されるＣＤ−ＤＡトラックと、ＲＯＭデータが記録されるＲＯＭトラックとを有するミックスモードのディスクとすることができる。
【００４０】
また、上記記録装置を有し、上記記録装置は、上記ディジタル出力されたＣＤ−ＤＡデータを光磁気ディスクにディジタル記録することができ、例えばマルチセッションの記録媒体に対応したＣＤ再生器とミニディスクＭＤ（登録商標）に記録再生する記録再生装置との複合機器とした場合に、再生部のディジタル出力手段に接続された記録装置に対してＣＤ−ＤＡデータを示すデータ識別情報を出力することができ、１世代であればディジタルコピーが許可されているＣＤ−ＤＡデータである場合は、記録装置にてディジタルコピーを許可させることができる。
【００４１】
更に、上記記録装置は、上記ディジタル出力されたＣＤ−ＤＡデータを光磁気ディスクにディジタル記録する外部装置とすることができ、再生装置のディジタル出力手段に光ディジタルケーブルなどによりディジタル接続された外部の記録装置に対して最終的にＣＤ−ＤＡデータであることを示すデータ識別情報を出力し、外部にディジタル接続された記録装置にてＣＤ−ＤＡデータのディジタルコピーを許可させることができる。
【００４２】
本発明に係る情報処理方法は、ディジタル接続した記録装置に対してＣＤ−ＤＡデータをディジタル出力してディジタルコピーさせることが可能な情報処理装置の情報処理方法において、データが記録されたデータエリア及び該データエリアを管理する管理情報が記録されたリードインエリアが１以上設けられた再生対象の記録媒体からデータ読出手段により該管理情報を読み出させるデータ読出工程と、上記データ読出工程により読み出された上記管理情報のうち上記データエリアに記録されたデータがＣＤ−ＤＡデータか否かを示すデータ識別情報を上記記録装置へ出力する識別情報出力工程と、上記再生対象の記録媒体の上記データエリアにＣＤ−ＤＡデータが記録されている場合であって該ＣＤ−ＤＡデータを上記記録装置にディジタル出力する際に、上記管理情報が読み出された後、上記データ読出手段を該ＣＤ−ＤＡデータが記録されたデータエリアにアクセスさせる制御工程とを有する。
【００４３】
本発明の情報処理方法においては、マルチセッションの記録媒体を再生可能な再生装置と、そのディジタル出力に外部又は内部にてディジタル接続された記録装置とにおいて、再生装置から記録装置にデータ識別情報を出力する際、データ読出手段により管理情報を読み出させた後、そのデータ読出手段をＣＤ−ＤＡデータが記録されたデータエリアにアクセスさせるため、最後に取得したデータ識別情報、すなわち記録装置に出力される最新のデータ識別情報は必ずＣＤ−ＤＡデータを示すものとすることができ、再生装置を、ＣＤ−ＤＡデータをディジタル出力して記録装置にてディジタルコピーさせる用途に使用することができる。
【発明の効果】
【００４４】
本発明によれば、マルチセッション対応の情報処理装置にディジタルコピーを目的としてディジタル接続された外部の記録装置又は該情報処理装置に内蔵されディジタル接続された記録装置に対して、再生対象の記録媒体のデータエリアにＣＤ−ＤＡデータが記録されている場合にそのＣＤ−ＤＡデータを記録装置に対してディジタル出力する前にデータ識別情報を出力する。この際、リードインエリアを読み出しデータ識別情報を出力した後、ＣＤ−ＤＡデータが記録されたデータエリアにデータ読出手段をアクセスさせデータ識別情報を出力するため、最後に記録装置に出力されるデータ識別情報がＣＤ−ＤＡデータを示すものとなり、このことにより、記録装置に対し、再生対象の記録媒体に、本来ディジタルデータの１世代のみの複製が許可されたＣＤ−ＤＡデータが記録されていることを認識させることができるので、記録装置において上記ＣＤ−ＤＡデータが複製不可の警告が表示されることを回避させ、記録装置にＣＤ−ＤＡデータをディジタル出力してディジタルコピーさせることができる。
【発明を実施するための最良の形態】
【００４５】
以下、本発明を適用した具体的な実施の形態について、図面を参照しながら詳細に説明する。この実施の形態は、本発明を、マルチセッションディスクを再生可能な再生装置であって、これにディジタル接続された記録機器に対してＣＤ−ＤＡデータをディジタル出力し、他の記録媒体にディジタル録音させる際に生じる不具合を阻止させるための再生装置に適用したものである。
【００４６】
具体的には、例えばファーストセッションにＣＤ−ＤＡ、セカンドセッション以降のセッションにＲＯＭセッションを含むマルチセッション構成のディスクメディアに記録されている１ｓｔセッションのオーディオトラックを他のディジタルメディアに複製する際に、１ｓｔセッション（ＣＤ部）からのコントロールビット情報の出力を操作することによって、ＲＯＭデータの複製不可エラー状態を発生させないようにしたものである。
【００４７】
本実施の形態における再生装置は、ＴＯＣ領域を有するディスクメディアのマルチセッションディスク再生に対応したものであるが、マルチセッションのディスクの説明に先立ち、先ず、ＣＤ−ＤＡフォーマットのシングルセッションディスクについて説明する。
【００４８】
図１は、通常のＣＤ−ＤＡデータが記録されるシングルセッションのディスクを示す模式図である。図１に示すように、ディスクＤ１は、ＣＤ−ＤＡデータが記録されるデータエリア（プログラムエリア）ＰＡがリードイン（LEAD IN）エリアＬＩとリードアウト（LEAD OUT）エリアＬＯで閉じられた状態で、セッション（Session）Ｓという単位になる。セッションＳは、複数のトラック（Track）、例えばトラックＴｒ１〜トラックＴｒ４などを有する。
【００４９】
そして、このセッションＳという単位が１枚のディスクに複数連続して書き込まれているものをマルチセッションという。図２は、マルチセッションのディスクフォーマットを示す模式図である。図２に示すように、このディスクＤ２は、ディスクの最内周側からセッションＳ１、セッションＳ２、セッションＳ３を有しており、各セッションＳ１〜Ｓ３には、夫々その内周側及び外周側にリードインエリアＬＩ１〜ＬＩ３及びＬＯ１〜ＬＯ３を有し、各リードインエリアＬＩ１〜ＬＩ３とリードアウトエリアＬＯ１〜ＬＯ３との間にそれぞれプログラムエリアＰＡ１〜ＰＡ３を有している。
【００５０】
ここで、上述したように、図２に示すようなマルチセッションであって、例えばプログラムエリアＰＡ３に、ＲＯＭデータが記録されている場合に、マルチセッションに対応した再生機器から、例えば１回などは複製が許可されているディジタルデータを他の機器へ出力し、他の機器にてこのディジタルデータを記録（ダビング）しようとすると、他の機器において、複製不可警告が表示され、複製不可状態となる場合がある。
【００５１】
複製不可状態とは、本来は、複製を違反されているデータを録音しようとした際に生じるエラーである。しかしながら、ＴＯＣリードを行うディスクのデータ構成によってはディスク内周側に記録されているＣＤ−ＤＡフォーマット音源、すなわち、複製が本来許可されているようなデータであっても、正常に記録（RECORDING）できない複製不可状態に陥ってしまう。本実施の形態においては、このように本来複製が許可されているようなディジタルデータであっても、ディジタル複製が不可となってしまうような現象を防ぐことができる再生装置である。なお、ＣＤ−ＤＡデータをアナログ録音する場合には、ディスクがＣＤ−ＤＡフォーマットであるか、又はＲＯＭフォーマットであるかを示す管理情報は伝わらず、複製不可警告状態にはならない。
【００５２】
本実施の形態における再生装置について、図３に示すマルチセッションディスクを再生する場合を例にとって説明する。上述した複製不可状態は、マルチセッションに対応した再生装置において、マルチセッションのディスクのＴＯＣリード処理により従来生じていた問題点であるが、本実施の形態においては、このマルチセッションを再生する際のＴＯＣリード処理においてコントロールビットの出力を制御することによって上記問題点を回避するものである。
【００５３】
図３に示すように、このディスクＤ３は、内周側の１ｓｔセッションＳ１がＣＤ−ＤＡフォーマットであり、これより外周側に記録された２ｎｄセッションＳ２がＣＤ−ＲＯＭフォーマットで構成されるマルチセッション構成のディスクである。このディスクＤ３は、ＣＤ規格においてＣＤ−ＥＸＴＲＡといわれるもので、数あるコピーコントロールＣＤのプロテクト技術においてＣＤ−ＥＸＴＲＡ構造を採用しているものが多い。
【００５４】
先ず、このような、プログラムエリアにフォーマットが異なるデータが記録されたマルチセッション型の記録媒体、例えば１ｓｔセッションにＣＤ−ＤＡフォーマット、２ｎｄセッションにＲＯＭフォーマットのデータが記録される図３に示すＣＤ−ＥＸＴＲＡを再生可能な再生装置について説明する。なお、ここでは光ディスクを再生する再生装置について説明するが、ＤＶＤ（Digital Versatile Disc）などを再生可能な再生装置においても同様の手法が採用できることはいうまでもない。
【００５５】
図４は、マルチセッションのディスクを再生可能な再生装置を示すブロック図である。この再生装置は、１ｓｔセッション（第１のセッション）に記録された既存のＣＤと同一のフォーマットのオーディオデータ（リニアＰＣＭ）と、２ｎｄセッション（第２のセッション）に記録された例えばＭＰ３などの圧縮オーディオデータとを再生可能とする再生装置である。
【００５６】
図４に示すように、再生装置１０は、例えば図３に示すディスクＤ３などを回転駆動するスピンドルモータ１１と、ディスクＤ３に記録された信号を再生する光ピックアップ１２とを有し、光ピックアップ１２は、レーザ光をディスクＤ３に照射する半導体レーザ、対物レンズなどの光学系、ディスクＤ３からの戻り光を受光するディテクタ、フォーカスおよびトラッキング機構などからなる。更に、光ピックアップ１２は、スレッド機構１４によって、ディスクＤ３の径方向に送られる。
【００５７】
光ピックアップ１２の例えば４分割ディテクタからの出力信号がＲＦアンプ１３に供給される。ＲＦアンプ１３は、４分割ディテクタの各ディテクタの出力信号を演算することによって、再生（ＲＦ）信号、フォーカスエラー信号、トラッキングエラー信号を生成する。再生信号がセレクタ１５に供給され、リードインエリアＬＩ１から読み取ったリードインデータがリードインデータ抽出部１６に供給され、フォーカスエラー信号、トラッキングエラー信号がサーボ回路１７に供給される。サーボ回路１７は、ＲＦ信号の再生クロックに基づいてスピンドルモータ１１の回転動作を制御したり、光ピックアップ１２のフォーカスサーボ、トラッキングサーボを制御したりする。
【００５８】
リードインデータ抽出部１６は、リードインエリアＬＩ１からのリードインデータ（ＴＯＣデータ）を復号し、復号データをＣＰＵ１８に供給する。ＣＰＵ１８は、ＴＯＣ用メモリ２１に復号したＴＯＣデータを保存する。このＣＰＵ１８は、再生装置全体の動作を制御するシステムコントローラとしての機能を有する。更にＣＰＵ１８と関連して操作部１９および表示部２０が設けられている。操作部１９には、通常のＣＤ再生装置と同様の操作キーと共に、１ｓｔセッション／２ｎｄセッションの再生を指定する操作部１９などが設けられている。また、ＣＰＵ１８によってサーボ回路１７が制御されることによって、再生装置の動作、ディスク１に対するアクセス動作が制御される。また、ＣＰＵ１８は、サブコードの情報に基づいて表示部２０に表示する情報を生成する。
【００５９】
セレクタ１５は、ＣＰＵ１８によって制御され、１ｓｔセッション（ＬＩ１、ＰＡ１及びＬＯ１）からの再生データを出力端子ａに出力し、２ｎｄセッション（ＬＩ１、ＰＡ１及びＬＯ１）からの再生データを出力端子ｂに出力する。無記録部分では、端子ｃが選択される。出力端子ａには、１ｓｔセッション復調部２２が接続され、出力端子ｂには、２ｎｄセッション復調部２６が接続される。
【００６０】
１ｓｔセッション復調部２２は、ＣＤ−ＤＡの再生信号処理と同様の信号処理を行う。すなわち、再生信号のＥＦＭの復調を行い、サブコードを分離して出力する。サブコードは、復号器により復号され、復号されたサブコード（アドレス情報を含む）がサーボ回路１７およびＣＰＵ１８に供給される。ＥＦＭ復調されたデータがエラー訂正部（ＥＣＣ）２２に供給される。エラー訂正部２３は、ＣＩＲＣによるエラー訂正を行う。エラー訂正部２３の出力がＤ／Ａ（ディジタル／アナログ）変換部２４に供給され、Ｄ／Ａ変換部２４からアナログ出力が出力端子２５に取り出される。図示しないが、エラー訂正部２３で訂正できないエラーが補間される。
【００６１】
２ｎｄセッション復調部２６は、１ｓｔセッション復調部２２と同様の信号処理を行う。２ｎｄセッション復調部２６が出力するサブコード（アドレス情報を含む）及びヘッダ情報がサーボ回路１７およびＣＰＵ１８に供給される。ＥＦＭ復調されたデータがエラー訂正部（ＥＣＣ）２７に供給される。エラー訂正部２７には、ＣＤ−ＲＯＭデコーダ２８が接続されている。ＣＤ−ＲＯＭデコーダ２８は、ＣＤ−ＲＯＭフォーマットの分解処理を行い、ユーザデータとして記録されているデータを抽出する。抽出されたデータが圧縮符号化の伸張部２９に供給され、伸張される。伸張部２９の出力がＤ／Ａ変換部３０に供給され、Ｄ／Ａ変換部３０からアナログ出力が出力端子３１に取り出される。
【００６２】
また、リードインデータ抽出部１６によって、リードインエリアＬＩ１に記録されている付随情報がディスクＤ３の装着時にＣＰＵ１８に読み込まれ、ＴＯＣ用メモリ２１に保存されている。また、操作部１９によるユーザの指定入力と、読み込まれた情報を参照してＣＰＵ１８がセレクタ１５を制御する信号を発生する。それによって、１ｓｔセッション及び２ｎｄセッションの一方を選択的に再生できる。
【００６３】
上述した再生装置においては、１ｓｔセッションのプログラムエリアＰＡ１のＣＤ−ＤＡデータの再生を行う時には、セレクタ１５が出力端子ａを選択するように、ＣＰＵ１８がセレクタ１５を制御する。ユーザは、ＣＤ−ＤＡデータを聞いたり、これを他のディスクにダビングしたりすることができる。また、２ｎｄセッションのプログラムエリアＰＡ２の圧縮オーディオデータの再生を行う時には、セレクタ１５が出力端子ｂを選択するように、ＣＰＵ１８がセレクタ１５を制御する。
【００６４】
このような再生装置１０からディジタルデータを再生して、他の記録装置にてデータを記録する、すなわちディスクＤ３の１ｓｔセッションＳ１に記録されたＣＤ−ＤＡオーディオデータを例えばミニディスクなどの他のディスクにダビングする場合に、ディスクＤ３から読み出したオーディオデータを所定の形式にした出力データを生成するディジタルデータ生成部３２を有する。このディジタルデータ生成部３２は、オーディオデータだけでなく、読み出したＴＯＣデータのうち、プログラムデータがオーディオデータであるかＲＯＭデータであるかなどを示すコントロールビットを外部の記録装置に出力する。
【００６５】
更に、本再生装置１０のＣＰＵ１８は、ディスクＤ３から読み出し、外部の記録装置に出力するディジタルデータを制御する。これらのデータは、出力端子（ディジタルアウト）３４を介して外部の記録装置に出力される。
【００６６】
ここで、他のディスクにＣＤ−ＤＡデータをディジタル出力して記録する場合、先ず、再生装置１０は、ＴＯＣ用メモリ２１からＴＯＣデータのうちコントロールビットをディジタルアウト３４を介して外部の記録装置に出力する。
【００６７】
再生装置１０がＴＯＣリード処理を行うのは、装着されたディスクＤ３がどのようなフォーマットのディスクかを再生装置１０が判別するためである。また、外部の記録装置にコントロールビットを送るのは、外部の記録装置において、再生装置１０から、これから出力されるディジタルデータがどのようなデータが判断するためである。
【００６８】
ここで、従来の再生装置においては、シングルセッションであっても、マルチセッションであっても、１ｓｔセッションＳ１のＴＯＣ情報のみリードしていた。これは、マルチセッションの場合であっても、１ｓｔセッションＳ１にはＣＤ−ＤＡデータが記録されるものとしてとり扱われておいたためであり、例え、１ｓｔセッションＳ１がＲＯＭデータであったり、又はシングルセッションであってもＣＤ−ＲＯＭであったりした場合、再生装置においては、ＲＯＭデータであることを示すコントロールビットにより、装着されたディスクに記録されたデータがＲＯＭデータであることが判別でき、例えばオーディオ専用再生装置においては、ＲＯＭデータである場合には、Ｄ／Ａ変換された再生出力をミュートするようになされていた。また、外部の記録装置においては、このコントロールビットを受け取ることで、これから供給されるデータがＲＯＭデータであることを判別した場合は、記録（ダビング）を停止する処理がなされていた。
【００６９】
一方、本実施の形態のように、例えばＭＰ３などの圧縮オーディオを再生できるような複合再生機器においては、従来の再生機器とは異なり、全てのセッションのＴＯＣを読み出す処理を行う。従って、２ｎｄセッションＳ２以降にＲＯＭデータが記録されている場合、コントロールビットもＲＯＭデータを示すものとなる。
【００７０】
ここで、この再生装置１０においては、ＲＯＭデータであるＭＰ３も再生可能であるが、この再生装置１０からのディジタルデータを記録可能な外部の記録装置においては、再生装置１０から出力されるＲＯＭデータを記録する、すなわち複製することは不可能とされている。
【００７１】
ところで、マルチセッションのディスクの再生に対応した従来の再生装置は、ＴＯＣリードにより、ディスクから取得した最後のコントロールビット情報をホールドし、デジィジタルアウト３４からそのデータを出力し続ける。従って、例えば最終セッションにＲＯＭデータが記録されている場合には、外部の記録装置に再生対象（複製元）のディスクがＲＯＭデータであることを示すコントロールビットが出力され、その結果、ディジタルコピーを目的としてディジタル接続された外部の記録装置においては、再生装置１０から出力されるのはＲＯＭデータであると判断する。これにより、ディジタル録音側となる外部のディジタル記録装置においては、再生装置１０からのディジタルデータは記録不可（ディジタルコピー不可）の表示がなされる。この場合、再生装置１０に、記録装置を接続しているユーザは、記録装置の表示部などに、「コピー不可」の表示がなされたり、実際に録音処理が停止してしまったりする。しかし、マルチセッションのディスクである場合には、１ｓｔセッションに記録されるＣＤ−ＤＡデータは、本来ディジタルコピーが可能なものも存在する。
【００７２】
従って、本実施の形態においては、マルチセッションのディスクであってＲＯＭデータが記録されたセッションとＣＤ−ＤＡデータが記録されたセッションとを有する場合には、ＲＯＭデータであることを示すコントロールビットが最後に取得されたコントロールビットとして外部の記録装置に出力されないよう、通常のＴＯＣリード処理の後、ＣＤ−ＤＡセッションのプログラム領域にアクセスさせ、ＣＤ−ＤＡデータが記録されたトラックをトレースしてＣＤ−ＤＡデータであることを示すコントロールビットを読み出しするよう、ＣＰＵ１８により制御する。これにより、上述したように、マルチセッションのディスクであって２ｎｄセッション以降にＲＯＭデータが記録されていても、通常のＴＯＣリード処理後にＣＤ−ＤＡデータが記録されたトラックへアクセスさせることで、最終的にＣＤ−ＤＡデータであることを示すコントロールビットを出力させることができ、再生音源側のＴＯＣリード後にディジタル録音側のメディアを録音待機状態にした時には複製不可警告は表示されない。また、音源側のＴＯＣリード処理が終了する前にディジタル録音側を録音待機状態にした場合には、ＴＯＣリード中、ＲＯＭフォーマットエリアをアクセスした時に一時的に複製不可警告が表示されるが、ＴＯＣリード処理終了後、最終的にその警告は解除されていることになる。
【００７３】
なお、１ｓｔセッションＳ１のＣＤ−ＤＡデータは、本来複製が許可されているデータである場合、そのままダビングを続行すれば、ディジタルコピーできる場合もある。しかしながら、「コピー不可」の表示は、これを使用しているユーザに、コピー不可のデータを不正にコピーしているとの誤解を招くことになる。また、ディスクがシングルセッションのＣＤ−ＲＯＭフォーマットディスクの場合にはＣＤ−ＤＡトラックは存在しないため、ＣＤ−ＤＡトラックへのアクセスは不可能であり、従来技術にて、正常に録音側が複製不可状態になされる。
【００７４】
図５は、図４に示す再生装置から供給されるディジタルデータを記録する外部の記録装置を示すブロック図である。ここでは、再生装置１０に接続される外部の記録装置として、ミニディスクＭＤなどの書換え可能な光磁気ディスクの記録装置を例にとって説明する。
【００７５】
図５は、再生装置１０に接続される記録再生装置４０を示すブロック図である。この記録再生装置４０は、光磁気ディスク４１を回転可能に収納したディスクカートリッジ４２の記録再生をするものであり、この記録生成装置４０における全体の動作を制御するシステムコントローラ（ＣＰＵ）４３を有し、また、ユーザによって操作される操作部４４と、装置の動作に関連した情報を表示する表示部４５とがシステムコントローラ４３に接続されている。
【００７６】
操作部４４は、ディスクカートリッジ４２を再生するための再生開始、再生停止、順方向又は逆方向トラックジャンプ、再生停止、再生一時停止などの機能を実行するための押しボタン、ダイヤルなどで構成されている。また、操作部４４は、図３に示す再生装置に接続し、光ディスクＤ３に記録されているオーディオデータをディスクカートリッジ４２の光磁気ディスク４１にダビングするためのダビングボタンを有する。操作部４４は、ユーザによって操作されると、操作信号を発生し、発生した操作信号をシステムコントローラ４３に入力する。
【００７７】
表示部４５は、液晶表示パネルなどで構成されており、再生装置１０に接続された際、再生装置１０のＴＯＣ用メモリ２１に保存されているＴＯＣデータに基づいて再生時間、再生中のトラックナンバ、タイトルなどを文字、記号などを用いて表示する。
【００７８】
更に、記録再生装置４０は、ディスクカートリッジ４２の光磁気ディスク４１を回転するモータ４６と、モー４６の回転を制御する回転制御部４７と、光磁気ディスク４１に対して光ビームを出射し反射した戻りの光ビームを検出する光ピックアップ４８と、光ピックアップ４８からの出力よりＲＦ信号など各種信号を生成するＲＦアンプ４９と、光ピックアップ４８、モータ４６などを駆動するドライバ５０と、光ピックアップ４８などのサーボ信号を生成するサーボ制御部５１と、ＲＦアンプ４９からグルーブ情報信号が供給されるアドレスデコーダ５２と、変調及び復調処理並びにエラー訂正符号化及び復号化処理を行うＥＦＭ／ＣＩＲＣエンコーダ／デコーダ５３と、記録及び／又は再生用のデータを一時的に蓄積する耐震用メモリとなるバッファメモリ（ＲＡＭ）５４の書込及び読出を制御する耐振用メモリコントローラ５５と、データの圧縮伸長処理をする圧縮エンコーダ／デコーダ５６と、ディジタル信号をアナログ信号に変換するディジタル／アナログ変換部（以下、単にＤ／Ａ変換部という。）５７と、記録データを出力する出力端子５８と、光磁気ディスク４１に対して磁界を印加しオーディオデータを記録する磁気ヘッド５９と、磁気ヘッド５９の駆動制御を行うヘッド駆動部６０と、外部機器からのディジタルデータが入力端子６１を介して入力されるディジタルデータ入力部６２とを備える。
【００７９】
モータ４６は、駆動軸にマグネットが内蔵されたディスクテーブルが一体的に取り付けられており、光磁気ディスク４１の回転駆動部となる。ディスクカートリッジ４２には、下面略中央に中央開口部が設けられており、ディスクテーブルは、この中央開口部よりディスクカートリッジ４２内に進入し、光磁気ディスク４１の中央に取り付けられたクランピングプレートを磁気吸引し、光磁気ディスク４１を一体的に回転できるようにする。
【００８０】
回転制御部４７は、光磁気ディスク４１が線速度又は角速度一定に回転するようにモータ４６を駆動制御する。また、回転制御部４７にて、光ディスクＤ３に記録されているオーディオデータをディスクカートリッジ４２の光磁気ディスク４１にダビングするとき、２倍速、４倍速などで光磁気ディスク４１を高速回転する制御を行うようにしてもよい。
【００８１】
光ピックアップ４８は、光ビームを出射する半導体レーザ、半導体レーザより出射された光ビームを集束する対物レンズ、光磁気ディスク４１の反射膜で反射された戻りの光ビームを検出する光検出器などを備える。半導体レーザより出射された光ビームは、対物レンズにより集束され、ディスクカートリッジ４２の下面の前面側に設けられた略矩形の記録再生用の開口部を介して光磁気ディスク４１の信号記録面に照射される。光磁気ディスク４１の信号記録面で反射された戻りの光ビームは、光検出器により電気信号に変換され、光検出器は、この電気信号をＲＦアンプ４９に出力する。また、対物レンズは、２軸アクチュエータなどの対物レンズ駆動機構に保持され、対物レンズの光軸と平行なフォーカシング方向及び対物レンズの光軸に直交するトラッキング方向に駆動変位される。光ピックアップ４８は、スレッド機構によって、光磁気ディスク４１の内外周に亘って直線的に移動される。具体的に、光ピックアップ４８は、待機時において、光磁気ディスク４１の最内周側にあり、内周側から順次読み出しを行うとき、光ピックアップ４８を内周側から外周側に順に移動する。また、光ピックアップ４８は、ユーザによって順方向又は逆方向のトラックジャンプ操作がされたとき、ユーザが指定したトラックの読み出しを行うことができるように移動される。
【００８２】
ＲＦアンプ４９は、光ピックアップ４８を構成する光検出器からの出力信号に基づいて、ＲＦ信号、フォーカシングエラー信号及びトラッキングエラー信号を生成する。また、ＲＦアンプ４９は、光磁気ディスク４１にウォブリンググルーブとして記録された絶対位置情報であるグルーブ情報信号を抽出する。例えばフォーカシングエラー信号は、非点収差法などにより生成され、トラッキングエラー信号は、３ビーム法、プッシュプル法などにより生成される。そして、ＲＦアンプ４９は、ＲＦ信号をＥＦＭ／ＣＩＲＣエンコーダ／デコーダ５３に出力し、グルーブ情報信号をアドレスデコーダ５２に出力し、更に、フォーカシングエラー信号及びトラッキングエラー信号をサーボ制御部５１に出力する。
【００８３】
サーボ制御部５１は、ＲＦアンプ４９から供給されるフォーカシングエラー信号やトラッキングエラー信号に基づくフォーカシングサーボ制御やトラッキングサーボ制御などを行う。具体的に、このサーボ制御部５１は、ＲＦアンプ４９から供給されたフォーカシングエラー信号やトラッキングエラー信号から、フォーカシング方向やトラッキング方向の目標値との誤差量を検出し、この検出結果に基づいたサーボ信号をドライバ５０に出力する。ドライバ５０は、このフォーカシングサーボ信号やトラッキングサーボ信号に応じた駆動電流を光ピックアップ４８の対物レンズ駆動機構のフォーカシングコイルやトラッキングコイルに出力することにより、対物レンズを光磁気ディスク４１の信号記録面に対して近接離間するフォーカシング方向や記録トラックに対して直交するトラッキング方向に駆動変位させる。
【００８４】
アドレスデコーダ５２は、ＲＦアンプ４９から供給されたグルーブ情報信号をデコードしてアドレス情報を抽出する。このアドレス情報は、システムコントローラ４３に供給され、各種の駆動制御に用いられる。
【００８５】
ＥＦＭ／ＣＩＲＣエンコーダ／デコーダ５３は、光磁気ディスク４１に記録されたオーディオデータの再生をするとき、ＲＦアンプ４９から入力されたＲＦ信号に対して、ＥＦＭ（Eight to Fourteen Modulation）復調などの復調処理やＣＩＲＣ（Cross Interleave Reed-Solomon Code）などのエラー訂正復号処理を行う。また、光磁気ディスク４１にデータを記録するとき、耐振用メモリコントローラ５５の制御によってバッファメモリ５４に一時的に記憶されたデータに対してＣＩＲＣなどのエラー訂正符号化処理を施すと共に、ＥＦＭなどの変調処理を施し、ヘッド駆動部６０へ出力する。
【００８６】
耐振用メモリコントローラ５４は、Ｄ−ＲＡＭ（Dynamic-Random Access Memory ）などのバッファメモリ５５へのデータの書込やバッファメモリ５５からのデータの読み出しを制御する。具体的に、耐振用メモリコントローラ５４は、光磁気ディスク４１に記録されているデータの再生をするとき、ＥＦＭ／ＣＩＲＣエンコーダ／デコーダ５３から出力されたデータをバッファメモリ５４に書き込み、この後、所定データ単位でデータを読み出し、読み出したデータを圧縮エンコーダ／デコーダ５６に出力する。また、耐振用メモリコントローラ４３は、光磁気ディスク４１にデータを記録するとき、圧縮エンコーダ／デコーダ５６より入力されたデータをバッファメモリ５４に書き込み、この後、所定データ単位でデータを読み出し、読み出したデータをＥＦＭ／ＣＩＲＣエンコーダ／デコーダ５６へ出力する。
【００８７】
圧縮エンコーダ／デコーダ５６は、オーディオデータの圧縮伸長を行う。具体的に、圧縮エンコーダ／デコーダ５６は、光磁気ディスク４１に記録されているオーディオデータの再生をするとき、バッファメモリ５４から読み出されたＡＴＲＡＣ(Adaptive Transform Acoustic Coding)などの方式で圧縮されているデータの伸長処理を行い、Ｄ／Ａ変換部５７に出力する。
【００８８】
また、上述したように、ディジタルデータ入力部６２に入力される再生装置１０からのコントロールビットは、システムコンとロータ４３に入力される。ここで、再生装置１０のディジタルアウト３４と、記録再生装置４０の端子６１とは、光ファイバのケーブルなどにより接続されている。そして、再生装置１０からのコントロールビットにより、ディスクＤ３からのデータがＣＤ−ＤＡデータであると判別できた場合には、これを記録する処理を行うことができる。すなわち、光磁気ディスク４１にオーディオデータを記録する場合には、端子６１を介してディジタルデータ入力部６２に所定の形式のディジタルデータが供給され、このディジタルデータが圧縮エンコーダ／デコーダ５６に供給され、圧縮エンコーダ／デコーダ５６がコンパクトディスクなどの再生装置４０のディジタルアウト３４からのディジタルデータの圧縮処理をし、圧縮したデータをバッファメモリ５４に出力する。
【００８９】
ヘッド駆動部６０は、ＥＦＭ／ＣＩＲＣエンコーダ／デコーダ５３でエラー訂正符号化処理や変調処理が施された記録データに応じて外部磁界を磁気ヘッド５９に発生させる。このとき、ヘッド昇降機構は、磁気ヘッド５９を光磁気ディスク４１の光ピックアップ４８と対向する面とは反対側の面に接触又は近接させる。光磁気ディスク４１は、光磁気記録層に光ピックアップ４８により光ビームが照射されてキュリー温度以上に加熱され磁気ヘッド５９により磁界が印加されることによってオーディオデータなどが記録される。
【００９０】
次に、以上のように構成された記録再生装置４０に本実施の形態の再生装置１０を接続し、再生装置１０に光ディスクＤ３を装着し、このディスクＤ３に記録されたＣＤ−ＤＡデータを記録再生装置４０の光磁気ディスク４１に記録する、すなわちダビングする動作について説明する。
【００９１】
先ず、ＣＰＵ１８は、光ディスクＤ３が回転駆動部のディスクテーブルに装着され、光ディスクＤ３がディスクテーブルに装着されたことを検出すると、モータ１１を線速度一定でディスクテーブルに装着された光ディスクＤ３を回転する。これと共に、ＣＰＵ１８は、光ピックアップ１２を駆動する。すなわち、光ピックアップ１２は、光ビームを光ディスクＤ３に出射し、光ディスクＤ３の信号記録面で反射された戻りの光ビームは、光検出器により電気信号に変換され、光検出器は、この電気信号をＲＦアンプ１３に出力する。ＲＦアンプ１３は、ＲＦ信号を生成してセレクタ１５に出力すると共に、フォーカシングエラー信号とトラッキングエラー信号を生成し、サーボ制御部１７に出力する。サーボ制御部１７は、フォーカシングエラー信号に基づき、フォーカシングサーボ信号を生成し、また、トラッキングエラー信号に基づき、トラッキングサーボ信号を生成し、これらのエラー信号を、光ピックアップ１２を構成する対物レンズ駆動機構の駆動回路に出力する。そして、光ピックアップ１２は、対物レンズ駆動機構を駆動し、対物レンズを光ビームの光軸方向に駆動変位させることによってフォーカシング制御を行い、対物レンズを光ビームの光軸に直交する方向に駆動変位させることによってトラッキング制御を行う。
【００９２】
そして、ＣＰＵ１８は、最初に、光ディスクＤ３の最内周、すなわち１ｓｔセッションＳ１のリードインエリアＬＩ１に記録されたＴＯＣデータの読み出しを行う。具体的に、ＣＰＵ１８は、光ピックアップ１２をディスクテーブルに装着された光ディスクＤ３の最内周に移動させる。ここで、光ピックアップ１２は、光ビームを出射し、光ディスクＤ３で反射された戻りの光ビームを検出することによって光電変換し、ＲＦアンプ１３に出力する。そして、例えば第１のセッション復調部２２にて、ＲＦ信号の中からサブコードデータの抽出をし、１４ビットの記録符号系列のデータビットを８ビットの系列のデータビットに変換復調しＣＰＵ１８に出力する。第１のセッションのＴＯＣデータの読み出しが完了すると、ＣＰＵ１８は、装着された光ディスクＤ３がマルチセッション型の光ディスクＤ３であるかどうかの判断を行う。具体的に、ＣＰＵ１８は、第１セッション３のポイントブロックＰＯＩＮＴに「Ｂ０」が設定されているかを判断する。そして、ＣＰＵ５３は、「Ｂ０」ポインタが設定されているとき、マルチセッション型であると判断して、「Ｂ０」ポインタが設定されていないとき、シングルセッションのＣＤ−ＤＡなどの通常の光ディスクであると判断して他の処理を続行する。
【００９３】
上述したように、マルチセッションディスクＤ３のＴＯＣリード処理上、２ｎｄセッションＳ２にアクセスしなければ、そのセッションがＣＤ−ＲＯＭフォーマットであるかどうかは知るすべがなく、実際にアクセスしてＣＤ−ＲＯＭフォーマットエリアと分かったときには、そのＲＯＭデータがディジタルアウト３４から流れてしまうため、ディジタル接続された録音メディアが複製不可状態になることを阻止することがタイミング的に不可能である。
【００９４】
そこで、本実施の形態においては、以下の方法にてＴＯＣリード処理を実行することにより、コントロールビットの出力を制御して、外部の記録装置において複製不可状態になることを防止する。図６は、本実施の形態のＴＯＣリード処理手順を示すフローチャートである。
【００９５】
図６に示すように、先ず、ディスク最内周の１ｓｔセッションＳ１のリードインエリアＬＩ１のＴＯＣを読み出す（ステップＳ１）。マルチセッションディスク対応型の再生装置１０は、全てのセッションのリードインエリアを読むため、マルチセッションのディスクである場合には、セッションの個数のリードインエリアにアクセスしてＴＯＣを読み出す。この際、上述したように、１ｓｔセッションのアドレスブロックＡＤＲが、オレンジブックの規格に沿ったマルチセッション型を示す「５」が設定され、この場合にはポイントブロックＰＯＩＮＴに、Ｂ０、Ｃ０が記録されているため、次にセッションがあるか否かが判定可能であり（ステップＳ２）、ここで、２ｎｄセッションがあると判定された場合、すなわち、「Ｂ０」ポインタが設定され、２ｎｄセッションのプログラムエリアＰＡ２の開始アドレス位置が記録されている場合には、このアドレス情報より、２ｎｄセッションのリードインエリアＬＩ２にアクセスし（ステップＳ３）、ＴＯＣを読み込む（ステップＳ４）。そして、ステップＳ２と同様に、次にセッションがあるか否かを判定し（ステップＳ５）、次にセッションがある場合には、ステップＳ３に戻って処理を繰り返す。
【００９６】
また、ステップＳ５にて、次にセッションがない、すなわち最終セッションであると判定された場合には通常のＴＯＣリードは終了するが、本実施の形態においては、現在ＴＯＣリードしたディスクにＣＤ−ＤＡトラックが存在し、かつＣＤ−ＤＡディスクとして再生するか否かを判定する（ステップＳ６）。ここで、ＴＯＣリードしたディスクにＣＤ−ＤＡトラックが存在しない場合、又はＣＤ−ＤＡトラックが存在したとしても、例えばＭＰ３などのデータを再生したいモードであってＣＤ−ＤＡディスクとして再生しない場合には、いずれもそのままディスクを停止して処理を終了する。
【００９７】
一方、ステップＳ６にて、ＣＤ−ＤＡトラックが存在し、かつＣＤ−ＤＡディスクとして再生するモードであると判定された場合には、上記最終セッションのフォーマットがＲＯＭトラックを含むセッションであったか否かを判定する（ステップＳ７）。最終セッションがＲＯＭトラックを含むセッションではなかった場合、すなわち、ＣＤ−ＤＡトラックのみからなるセッションであった場合には、ステップＳ５までにて行う通常のＴＯＣリードにより最終的に出力されるコントロールビットは、ディスクがＣＤ−ＤＡフォーマットであることを示すものとなるので、そのままディスクを停止して処理を終了する。
【００９８】
一方、ステップＳ７にて、最終セッションがＲＯＭトラックを含むセッションであった場合には、ＣＤ−ＤＡフォーマットのトラックにアクセスする。このアクセスの目的はＣＤ−ＤＡのコントロールビット情報を取得するためであり、ＣＤ−ＤＡトラックのプログラムエリアに着地さえすれば目的を満たすことができる。但し、故意に情報を操作されたＣＣＣＤなどをも回避できるようにするためには、確実にＣＤ−ＤＡ情報を取得できるよう、一定時間のトレースを行うのが安全である。また、この処理の際にはオーディオデータにはミュートをかけた状態で行う必要がある。
【００９９】
外部装置へは、ＴＯＣリードにおいて最後に読み出されたフォーマット情報が出力される。このため、ＣＤ−ＥＸＴＲＡなどのディスクにおいては、従来のＴＯＣリードのみの処理であると、再生装置に接続された外部装置は、再生対象のディスクがＲＯＭフォーマットであると認識してしまい、複製不可の表示や通知を出力してしまう。従って、複製元において、再度ＣＤ−ＤＡフォーマットの領域（トラック）にアクセスし、ＣＤ−ＤＡフォーマットであるというコントロールビットを読み出してからＴＯＣリード処理を終了することで、最終出力を、ＣＤ−ＤＡフォーマットを示すコントロールビットとすることができ、複製先のディスクが装着される外部装置において、複製元のディスクがマルチセッションのディスクであって、１ｓｔセッションはＣＤ−ＤＡデータが記録されて複製が許可されているような場合に、外部の記録装置が複製不可と誤って判断してしまうことを防止することができる。ここで、本実施の形態においては、通常の再生装置において行われる従来のＴＯＣリード処理及びこの従来のＴＯＣリード処理終了後に続けてＣＤ−ＤＡトラックにアクセスする処理からなるコントロールビット読み出しのための一連の動作処理をまとめてＴＯＣリード処理という。
【０１００】
こうしてＣＤプレーヤにおいては、このように最終的に出力するコントロールビットをＣＤ−ＤＡフォーマットを示すものとする操作によって、２ｎｄセッション以降に、ＲＯＭフォーマットセッションを含むディスクである場合に、複製先のディジタルメディアの記録装置４０が、複製元のディスクにＣＤ−ＤＡデータが含まれていることを認識させることができ、外部の記録装置４０では、ＣＤ−ＤＡフォーマットのセッションを有するディスクからのデータが供給されるものと判断されることで、本来ダビングが許可されているディスク最内周側のＣＤ−ＤＡセッションのディジタルデータの出力が可能となる。
【０１０１】
ここで、本発明の目的は、ＣＤ−ＤＡフォーマット領域を再生する再生装置であるならばＲＯＭフォーマットを含むマルチセッション構成のディスクにおいても、そのＣＤ−ＤＡフォーマットエリアのオーディオトラックを正常にダビング可能とするためであり、ディジタルコピーの規格を違反してＲＯＭデータエリアを複製可能にしてしまうものではない。
【０１０２】
なお、全てがＲＯＭフォーマットである場合には、ステップＳ６にてＣＤ−ＤＡフォーマットにアクセスすることができないため、ＲＯＭフォーマットを示すコントロールビットが出力され、通常通り、外部装置において、複製不可の表示又は通知がなされ、複製が禁止される。
【０１０３】
また、図６の説明においては、ステップＳ６にて再生装置がＴＯＣリードしたディスクをＣＤ−ＤＡディスクとしてＣＤ−ＤＡトラックを再生するモードである場合、ステップＳ７を飛ばしてステップＳ８の処理を行うようにしてもよい。すなわち、ＣＤ−ＤＡトラックを再生させるモードである場合には、ＴＯＣリード終了後にＣＤ−ＤＡフォーマットのトラックにアクセスしておけば、最終セッションがＲＯＭフォーマットであってもＣＤ−ＤＡフォーマットであっても、複製先のディスクにディジタルデータをディジタルコピーをする目的でディジタル接続された記録装置に対して、複製元のディスクにＣＤ−ＤＡデータが記録されているということを認識させることができる。
【０１０４】
更に、ステップＳ１において、１ｓｔセッションがＣＤ−ＤＡフォーマットと確認された場合において、２ｎｄセッションにアクセスする前にシリアル通信などのインターフェースにより、記録装置側に、ディジタルコピーを行おうとしているディスクがＣＤ−ＤＡデータが記録されたディスクであることを通知しておけば、一時的に複製不可表示がなされてしまうことを回避することができる。
【０１０５】
ここで、ＣＤ（コンパクトディスク）に記録されるサブコードについて詳細に説明する。ＣＤシステムにおいて、既によく知られているように、記録されるデータの最小単位は１フレームとなり、９８フレームで１ブロックが構成される。この１フレームの構造は上述したように、図１０のようになり、すなわち１フレームは５８８ビットで構成され、先頭２４ビットが同期データ、続く１４ビットがサブコードデータエリアとされる。そして、その後にデータ及びパリティが配される。
【０１０６】
この構成のフレームが９８フレームで１ブロックが構成され、９８個のフレームから取り出されたサブコードデータが集められて上述の図１１のような１ブロックのサブコードデータが形成される。９８フレームの先頭の第１、第２のフレーム（フレーム９８ｎ＋１，フレーム９８ｎ＋２）からのサブコードデータは同期パターンとされている。そして、第３フレームから第９８フレーム（フレーム９８ｎ＋３〜フレーム９８ｎ＋９８）までで、各９６ビットのチャンネルデータ、すなわちＰ，Ｑ，Ｒ，Ｓ，Ｔ，Ｕ，Ｖ，Ｗのサブコードデータが形成される。
【０１０７】
このうち、アクセスなどの管理のためにはＰチャンネルとＱチャンネルが用いられる。ただし、Ｐチャンネルはトラックとトラックの間のポーズ部分を示しているのみで、より細かい制御はＱチャンネル（Ｑ１〜Ｑ９６）によって行なわれる。９６ビットのＱチャンネルデータは、ＣＤについては図１２のように構成される。この図１２は、リードインエリアに記録されるＱチャンネルデータを示す。
【０１０８】
まずＱ１〜Ｑ４の４ビットはコントロールデータＣＴＬとされ、オーディオのチャンネル数、エンファシス、ＣＤ−ＲＯＭの識別などに用いられる。すなわち、４ビットのコントロールデータは次のように定義される。
「０＊＊＊」：２チャンネルオーディオ
「１＊＊＊」：４チャンネルオーディオ
「＊０＊＊」：ＣＤ−ＤＡ（ＣＤディジタルオーディオ）
「＊１＊＊」：ＣＤ−ＲＯＭ
「＊＊０＊」：ディジタルコピー不可
「＊＊１＊」：ディジタルコピー可
「＊＊＊０」：プリエンファシスなし
「＊＊＊１」：プリエンファシスあり
また、プログラムエリアのＱチャンネルについては、「＊＊０＊」と「＊＊１＊」とが交互に変化する場合、著作権保護トラックから１世代以上コピーされたトラックを示し、これにより、例えば２世代以上のコピーを制限することができる。
【０１０９】
記録再生装置側には、このコントロールビットが供給され、これにより、記録再生装置は、ＣＤ−ＤＡデータであるか否かや、ディジタルコピーが許可されているか否かを判断する。なお、市販のＣＤでは、３ビット目は反転はせずにディジタルコピー禁止を意味する「＊＊０＊」固定で記録されている。また、一度ディジタルコピーされ、上述の３ビット目が反転する場合の反転周期については、ＣＤ−Ｒ／ＲＷの規格が定められているオレンジブックにて９．７５Ｈｚと定義されている。記録装置側はこの３ビット目が規格相当の周期で反転していれば、一度ディジタルコピーされているディスクとして録音不可とし、市販のＣＤのような著作権保護ディスクであれば、ＣＤからＭＤへのディジタルコピーが可能なように1世代のみディジタルコピーが許可され、更に次世代へはコピー不可となるように記録する。
【０１１０】
次にＱ５〜Ｑ８の４ビットはアドレスＡＤＲとされ、これはＱ９〜Ｑ８０のデータのコントロールビットとされている。このアドレス４ビットが「０００１」である場合は、続くＱ９〜Ｑ８０のサブＱデータはオーディオＣＤについてのＱデータであることを示している。そしてＱ９〜Ｑ８０で７２ビットのサブＱデータとされ、残りのＱ８１〜Ｑ９６はＣＲＣとされる。
【０１１１】
サブコード内容としてのＱ９〜Ｑ８０で７２ビットは、各８ビットで図１２に示す情報が記録されている。先ずトラックナンバ（ＴＮＯ）が記録される。すなわち各トラック＃１〜＃ｎでは「０１」〜「９９」のいずれかの値となる。またリードアウトエリアではトラックナンバは「ＡＡ」とされる。続いてインデックス（ＩＮＤＥＸ）として各トラックをさらに細分化することができる情報が記録される。
【０１１２】
そして、トラック内の絶対時間アドレスとしてＭＩＮ（分）、ＳＥＣ（秒）、ＦＲＡＭＥ（フレーム番号）が示され、さらに、ＰＭＩＮ（分）、ＰＳＥＣ（秒）、ＰＦＲＡＭＥ（フレーム番号）が記録されている。絶対時間アドレスとは第１トラックの開始ポイントで０分０秒０フレームとされ、以降リードアウトまで連続的に付されている時間情報である。つまりこれはディスク上で各トラックを管理するための絶対アドレス情報となる。
【０１１３】
次に、上述の図３に示すフォーマットとは異なるマルチセッションのディスクから、コピー許可されているＣＤ−ＤＡデータを他のディスクに記録する方法について説明する。ここでは、
１ｓｔセッションＳ１：ＣＤ−ＤＡフォーマット
２ｎｄセッションＳ２：ＣＤ−ＤＡフォーマット
３ｒｄセッションＳ３：ＣＤ−ＲＯＭフォーマット
４ｔｈセッションＳ４：ＣＤ−ＲＯＭフォーマット
という構成の４つのセッションから構成されるマルチセッションディスクにおいて、１ｓｔセッションＳ１及び２ｎｄセッションＳ２のＣＤ−ＤＡフォーマットセッションのみを再生範囲とする再生装置について説明する。
【０１１４】
図６に示した方法に従って、先ず、ステップＳ１にて１ｓｔセッションＳ１のＴＯＣリード処理をする。そして、ステップＳ２にて、次のセッション、すなわち２ｎｄセッションが存在するため、ステップＳ３に従って２ｎｄセッションにアクセスし、ステップＳ４のＴＯＣリードを開始する。そして、ステップＳ５の最終セッションか否かの確認がなされ、ステップＳ３〜ステップＳ５が繰り返される。こうして、１ｓｔセッションからＴＯＣリードされた場合には４ｔｈセッションのＴＯＣリードが終了した時点で、ステップＳ５にて最終セッションであるとされ、ステップＳ６にて、ＣＤ−ＤＡトラックが存在し、かつＣＤ−ＤＡディスクとして再生したいか否かが判断される。上述のように、１ｓｔ及び２ｎｄセッションがＣＤ−ＤＡフォーマットであり、かつＣＤ−ＤＡディスクとして再生するモードであった場合、ステップＳ７に進む。そして、４ｔｈセッションはＲＯＭフォーマットであるため、ステップＳ８に進み、１ｓｔセッション又は２ｎｄセッションのＣＤ−ＤＡトラックにアクセスし、ディスクを停止する。
【０１１５】
また、例えば図２に示すディスクＤ３のような２つのセッションからなり、１ｓｔセッションがＣＤ−ＤＡフォーマット、２ｎｄセッションがＭＰ３フォーマットで構成されたマルチセッション構成のディスクにおいて、ＭＰ３フォーマットセッション側を優先的に再生する再生装置に本発明を適用しても弊害がないことについて説明する。ＭＰ３対応型の再生装置であっても、ＣＤ−ＤＡ及びＭＰ３の２つのフォーマットが記録されたディスクからデータを再生する際には、いずれか一方のフォーマットを優先して再生するよう、例えばユーザなどにより指示される。なお、再生装置では、ＭＰ３データは、再生したり、アナログデータとして複製することができても、他のディスクへディジタルデータのまま出力して複製させることはできない。
【０１１６】
ＭＰ３フォーマットは、圧縮オーディオデータであり、コンピュータデータとしてＲＯＭフォーマットと判定される。ここで、再生装置がＲＯＭデータであるＭＰ３を優先的に再生するような場合において、本発明を適用すると、１ｓｔセッションＳ１がＣＤ−ＤＡフォーマットであるため、２ｎｄセッションＳ２をＴＯＣリードした後、図６に示すステップＳ６にて、ＣＤ−ＤＡディスクとして再生するモードか、ＭＰ３を再生するモードかが判定され、ＭＰ３を優先するモードである場合には、従来どおりＴＯＣリードを終了するため、複製先の記録装置において、複製元であるＣＤ−ＤＡデータ及びＭＰ３データを有するディスクの複製が禁止の状態になる。
【０１１７】
また、故意にもしくは不良として、プログラムエリアがＲＯＭデータであるにも関わらずＴＯＣ情報がＣＤ−ＤＡと記録されているディスクなど、ＴＯＣリード処理時点では複製先の記録装置において、複製元であるＣＤ−ＤＡデータ及びＭＰ３データを有するディスクの複製が禁止の状態にはならない場合があったとしても、ＭＰ３ファイルを再生するには、ＴＯＣリード処理に引き続き、ファイル解析処理を行わなければならず、このファイル解析処理時にはＭＰ３デコーダにＲＯＭデータを送信する必要がある。よってこの時点でＲＯＭデータ情報がＣＰＵ１８に供給され、これがディジタルアウト３４を介して複製先のディジタルメディアの記録装置４０に伝わり、複製禁止状態にすることができる。
【０１１８】
すなわち、プログラムエリアのチャンネルＱにより、各トラックに関するコントロールビットが供給され、これにより、故意にもしくは不良として、プログラムエリアがＲＯＭデータであるにも関わらずＴＯＣ情報がＣＤ−ＤＡと記録されているディスクであっても、それに左右されずにディジタル録音先のメディアへのＲＯＭデータの複製を阻止できる。
【０１１９】
このように、ＭＰ３データを優先するモードにおいてはＭＰ３の複製が許可されない。また、ＣＤ−ＤＡデータを優先して再生するモードにおいては、上述したように、ＣＤ−ＤＡフォーマットである１ｓｔセッションＳ１のトラックにアクセスしてコントロールビットを読み出して外部の記録装置に出力するため、ＣＤ−ＤＡデータをディジタル出力して外部の記録装置にて他のメディアにディジタルコピーすることが可能である。
【０１２０】
以上より、本実施の形態においては、ＭＰ３側を優先的に再生することができる再生装置へ実装しても、複製許可状態としてしまうような問題は生じず、ＣＤ−ＤＡフォーマットとＭＰ３フォーマットのどちらかを選択して再生させる再生装置においても同様の効果を奏する。
【０１２１】
次に、本実施の形態における情報処理装置の他の例として、ＣＤ−ＤＡデータを再生する再生装置と、この再生装置からのＣＤ−ＤＡデータをミニディスクなどの光磁気ディスクに記録可能な記録再生装置とを搭載した記録再生装置としての情報処理装置について説明する。図７は、本実施の形態における情報処理装置の他の例としての記録再生装置を示すブロック図である。なお、図７に示す情報処理装置としての記録再生装置において、図４及び図５に示す夫々再生装置及び記録装置と同一の構成要素には同一の符号を付しその詳細な説明は省略する。
【０１２２】
図７に示すように、記録再生装置７０は、本発明を適用したコンパクトディスクを再生する再生部７１と、光磁気ディスク４１を回転可能に収納したディスクカートリッジ４２の記録再生をする記録再生部７２と、全体の動作を制御するシステムコントローラ７３とから構成されている。
【０１２３】
また、記録再生装置７０は、コンパクトディスクや、光磁気ディスクの再生、停止などをユーザによって操作される操作部７４と、装置の動作に関連した情報を表示する表示部７５とを備えている。
【０１２４】
操作部７４は、光ディスクＤ３やディスクカートリッジ４２を再生するための再生開始、再生停止、順方向又は逆方向トラックジャンプ、再生停止、再生一時停止などの機能を実行するための押しボタン、ダイヤルなどで構成されている。また、操作部７４は、光ディスクＤ３に記録されているオーディオデータをディスクカートリッジ４２の光磁気ディスク４１にダビングするためのダビングボタンを有する。この操作部７４は、ユーザによって操作されると、操作信号を発生し、発生した操作信号をシステムコントローラ（ＣＰＵ）７３に入力する。
【０１２５】
表示部７５は、液晶表示パネルなどで構成されており、ＴＯＣ用メモリ２１に保存されているＴＯＣデータに基づいて再生時間、再生中のトラックナンバ、タイトルなどを文字、記号などを用いて表示する。
【０１２６】
そして、操作部７４のダビングボタンが押されると、再生部７１にて、光ディスクのＴＯＣが読み出され、ＴＯＣ用メモリ２１に保存される。この際、例えば、ＣＤ−ＤＡフォーマット及びＲＯＭフォーマットのセッションを有するマルチセッションのディスクである場合であって、最終セッションがＲＯＭフォーマットである場合には、ＣＰＵ７３がＣＤ−ＤＡフォーマットのトラックにアクセスさせ、ＣＤ−ＤＡデータであることを示すコントロールビットを読み出させる。そして、この最後に読み出したコントロールビット、すなわち、ＣＤ−ＤＡデータであることを示すコントロールビットをディジタルデータ生成部７６を介してディジタルデータ入力部７８に出力させる。
【０１２７】
記録再生部７２には、再生部７１のディジタルデータ生成部７６からのコントロールビットをディジタルデータ入力部７８を介してＣＰＵ７３に送ることで、ＣＰＵ７３は、これからダビングしようとしているデータがＣＤ−ＤＡデータであるか、ＲＯＭデータであるかを判断し、ＣＤ−ＤＡデータである場合には、表示部７５に録音許可の表示をする。
【０１２８】
ここで、本実施の形態におけるディジタルデータ生成部７６は、上述したように、例えば２つのセッションからなるマルチセッションのディスクであって、２ｎｄセッションにＲＯＭデータが記録されている場合であっても、最終的に記録再生部７２へ供給されるコントロールビットは、ＣＤ−ＤＡデータであることを示すものとなっているため、記録再生部７２では、供給されるデータがＣＤ−ＤＡデータであると判定し、記録不可の表示を出さないようにすることができる。
【０１２９】
本実施の形態においては、マルチセッションディスクの再生に対応した再生装置にて、ＣＤ−ＥＸＴＲＡディスク、又は、１ｓｔセッションがＣＤ−ＤＡフォーマット、２ｎｄセッション以降に、ＲＯＭセッションを含んだマルチセッションディスクのＣＤ−ＤＡフォーマットエリアを他のディジタルメディアに複製する際、通常のＴＯＣリード処理終了後にＣＤ−ＤＡフォーマットのセッションにアクセスし、プログラムエリアに記録されたＣＤ−ＤＡデータであることを示すコントロールビットを読み出しておくことで、これをディジタルコピーしようとしている記録装置に対して、複製元のディスクがＣＤ−ＤＡフォーマットを有するディスクであることを認識させ、記録装置が本来ディジタルコピーが１世代のみ許可されているＣＤ−ＤＡデータの録音不可を警告する状態を招かずに正常にオーディオトラックを複製することが可能である。
【０１３０】
また、再生装置によっては録音不可警告状態になっても無理やりＣＤのオーディオトラックにアクセスさせてやれば録音可能状態に戻すことができるため、そのディスクがコピーコントロールディスクであったりすると、本来、ＭＤなどの他のディスクへのダビングは許可されているにも関わらず、録音不可の警告を出すことでユーザに混乱を招く恐れがあった。これは従来のＣＤ再生装置がディスクがマルチセッションであっても、２ｎｄセッション以降のＴＯＣを読み込むようなことはなかったのに対し、例えばＭＰ３対応の再生装置などの場合は、マルチセッションに対応するため、２ｎｄセッション以降のＴＯＣも読み出すためである。
【０１３１】
すなわち、ＣＤ−ＤＡデータだけでなく、ＭＰ３データの再生も可能であるような再生装置などでは、２ｎｄセッション以降のＴＯＣを読み出す場合があるため、これに外部に接続されるか、又は内蔵されるような記録装置に対して、ディジタル出力を行う際には、ＲＯＭデータを示すコントロールビット情報も伝えてしまっていた。これにより、ＣＤ−ＤＡデータをディジタルコピーする目的で接続された外部の記録装置（又は内蔵された記録装置）においては、ＲＯＭデータであることを示すデータ（コントロールビット）が入ってきた時点で、録音禁止の表示（複製不可警告）がされる。従って、本来複製が許可されているＣＤ−ＤＡデータをディジタル録音しようとした場合であっても、ユーザが複製できないと勘違いしたり、複製不可の表示を見て、複製をやめたり又は複製不可の表示が出ているのに複製が可能であったりと、ユーザに混乱を招いてしまっていた。
【０１３２】
これに対し、本実施の形態のように、ディジタルコピーを許されているディスクのディジタルデータをディジタルコピーする場合には、ＴＯＣリード処理の最後に、ＣＤ−ＤＡデータが記録されたプログラムエリアをトレースさせることで、複製可能な場合に複製不可警告表示が解除され、ユーザの混乱を防止することができる。
【０１３３】
なお、再生側においてディスクのＴＯＣリード処理が終了しないうちに記録装置を録音待機状態にした場合、一時的に複製不可警告が表示されることになるが、ユーザの混乱を更に防止するために、複製できない領域をアクセス中であるためにそのような表示がなされる旨を、装置の取り扱い説明書などに記載していてもよい。
【０１３４】
更に、再生装置側から出力されるデータ（コントロールビット情報）を制御することにより、例えば記録装置が他社の製品の場合であっても、その記録装置をなんら変更することなく、上述の不具合を回避することができる。
【０１３５】
なお、本発明は上述した実施の形態のみに限定されるものではなく、本発明の要旨を逸脱しない範囲において種々の変更が可能であることは勿論である。上述の実施の形態においては、マルチセッションのディスクであって、本来１世代のみディジタルコピーが許可されているＣＤ−ＤＡデータのコピー不可を回避する装置及び方法として説明したが、図１に示すシングルセッションのディスクにおいて、各トラック毎に異なるフォーマットを有するディスク、例えばレッドブック、イエローブックにてミックスモードと定義される、１トラック目にＲＯＭデータ、２〜４トラック目にはＣＤ−ＤＡデータが記録されている構成のディスクなどにおいても有効な方法である。その場合においては、ＴＯＣリード処理に際して、２〜４トラックのトラック開始時間情報を最後に読み出してＴＯＣリード処理を終了した場合には上述のコピー不可状態にならないものの、1トラックのトラック開始時間情報を最後に読み出してＴＯＣリード処理を終了した場合には、最終的に再生装置側から出力されるデータがＲＯＭ情報となるため上述と同様の問題が生じる。したがって、ミックスモードのディスクの場合には、図６に示すステップＳ５まので通常のＴＯＣリード処理後に、同様に、ＣＤ−ＤＡトラックが存在し、かつＣＤ−ＤＡディスクとして再生するか否かを判定し、最後に読み出したコントロールビットがＲＯＭデータを示す場合には、ＣＤ−ＤＡデータが記録されたトラックにアクセスしてコントロールビットを読み出してから、一連の処理を終了するようにすれば、本来複製不可ではないＣＤ−ＤＡデータのディジタルコピーを許可させることができる。
【０１３６】
このように、マルチセッションのディスクを再生可能な再生装置に対して、ディジタル録音を目的とした記録装置（録音装置）を当該再生装置の外部又は内部でディジタル接続した場合、再生装置にて、ディジタルコピーが許可されたＣＤ−ＤＡデータを含むマルチセッション又はミックスモードのディスクを再生し、ディジタルデータを出力させ、上記記録装置にてこれをディジタルコピーする際、この記録装置にてディジタル複製不可の警告を阻止することができる。
【０１３７】
すなわち、具体的には、図６に示す一連の処理の後、記録装置を録音待機状態にした場合には、記録装置において、複製不可の表示は全く表示されない。また、図６の一連の処理前、又は処理中に記録装置を録音待機状態にした場合であって、ステップＳ７にてＲＯＭトラックを含むセッションが存在した場合には、そのときのみディスクがＲＯＭフォーマットであることを示す情報が録音装置に供給されるため、録音装置にて一時的に複製不可の表示がされるものの、上述したようにステップＳ８にてＣＤ−ＤＡフォーマットのトラックにアクセスするため、直ぐに複製不可の表示が解除される。更に、上述したように１ｓｔセッションがＣＤ−ＤＡフォーマットの場合、２ｎｄセッションにアクセスする前に所定のインターフェースにて記録装置側に、ＣＤ−ＤＡディスクであることを通知しておけば、一時的に複製不可表示がなされてしまうことをも回避することができる。
【０１３８】
このように、ＣＤ−ＤＡとして再生するディスクがＲＯＭトラックを含んでいた場合であっても、通常のＴＯＣリード処理後にＣＤ−ＤＡフォーマットのトラックにアクセスさせることで、最終的には録音可能な状態に導くことができ、ユーザの混乱を最小限に防ぐことができる。
【図面の簡単な説明】
【０１３９】
【図１】通常のＣＤ−ＤＡデータが記録されるシングルセッションのディスクを示す模式図である。
【図２】マルチセッションのディスクフォーマットを示す模式図である。
【図３】１ｓｔセッション及び２ｎｄセッションに夫々ＣＤ−ＤＡデータ及びＣＤ−ＲＯＭデータが記録されたマルチセッションディスクを示す模式図である。
【図４】本発明の実施の形態における再生装置を示す図であって、上記マルチセッションのディスクを再生可能な再生装置を示すブロック図である。
【図５】上記再生装置から供給されるディジタルデータを記録する外部の記録装置を示すブロック図である。
【図６】本発明の実施の形態におけるＴＯＣリード処理方法を示すフローチャートである。
【図７】本発明の実施の形態における情報処理装置の他の例としての記録再生装置を示すブロック図である。
【図８】マルチセッション型のコンパクトディスクを説明する図である。
【図９】コンパクトディスクのフォーマットを説明する図である。
【図１０】サブコードとフレームフォーマットを説明する図である。
【図１１】サブコードを説明する図である。
【図１２】ＴＯＣデータとなるリードインエリアに記録されたサブコードのＱチャンネルを説明する図である。
【図１３】特許文献２に記載の再生装置を示すブロック図である。
【符号の説明】
【０１４０】
１０  再生装置、１１  スピンドルモータ、１２  光ピックアップ、１４  スレッド機構、１３  ＲＦアンプ、１５  セレクタ、１６  リードインデータ抽出部、１７  サーボ回路、１８  ＣＰＵ、１９  操作部、２０  表示部、２１  ＴＯＣ用メモリ、２２  １ｓｔセッション復調部、２３  エラー訂正部、２４  Ｄ／Ａ変換部、２５  出力端子、２６  ２ｎｄセッション復調部、２７  エラー訂正部、２８  ＣＤ−ＲＯＭデコーダ、２９  伸張部、３０  Ｄ／Ａ変換部、３２  ディジタルデータ生成部、３４  出力端子、４０  記録再生装置、４１  光磁気ディスク、４２  ディスクカートリッジ、４４  操作部、４５  表示部、４３  システムコントローラ、４６  モータ、４７  回転制御部、４８  光ピックアップ、４９  ＲＦアンプ、５０  ドライバ、５１  サーボ制御部、５２  アドレスデコーダ、５３  エンコーダ／デコーダ、５４  バッファメモリ、５５  メモリコントローラ、５６  圧縮エンコーダ／デコーダ、５７  Ｄ／Ａ変換部、５８  出力端子、
５９  磁気ヘッド、６０  ヘッド駆動部
【図１】
2005135494.tif 000003
【図２】
2005135494.tif 000004
【図３】
2005135494.tif 000005
【図４】
2005135494.tif 000006
【図５】
2005135494.tif 000007
【図６】
2005135494.tif 000008
【図７】
2005135494.tif 000009
【図８】
2005135494.tif 000010
【図９】
2005135494.tif 000011
【図１０】
2005135494.tif 000012
【図１１】
2005135494.tif 000013
【図１２】
2005135494.tif 000014
【図１３】
2005135494.tif 000015